【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
蒸気分配デバイスであって、該デバイスは、以下：
第１構造体であって、標準壁付きコンセントプレートと実質的に同一の寸法を有する、標準壁付きコンセントに挿入されるように構成され、さらに厚さＹを有する外側に延びるコンセント構造体を有する、第１構造体；
第２構造体であって、該第１構造体と実質的に同一のサイズを有するように構成され、さらに該コンセント構造体と実質的に同一のサイズで構成された開口部を備える、第２構造体、
を備え、該第２構造体は、該第１構造体および電気コンセントに装着され得る、
デバイス。
【請求項２】
前記第２構造体が、厚さＺを有し、該厚さＺが、前記厚さＹと実質的に同一である、請求項１に記載の蒸気分配デバイス。
【請求項３】
前記第２構造体および前記第１構造体が、組み立てられた場合、壁付きコンセントに類似している、請求項１に記載の蒸気分配デバイス。
【請求項４】
前記第１構造体が、壁付きコンセントに挿入するための第１プラグを有する、請求項１に記載の蒸気分配デバイス。
【請求項５】
前記第１構造体が、第２プラグをさらに備える、請求項４に記載の蒸気分配デバイス。
【請求項６】
前記第１プラグおよび前記第２プラグの一方が、前記蒸気分配デバイスに電力を提供する、請求項５に記載の蒸気分配デバイス。
【請求項７】
前記第１プラグおよび前記第２プラグの両方が、前記蒸気分配デバイスに電力を提供する、請求項５に記載の蒸気分配デバイス。
【請求項８】
前記蒸気分配デバイスの外面上に少なくとも１つのコンセントをさらに備える、請求項１に記載の蒸気分配デバイス。
【請求項９】
電気レセプタクルを模造するように構成された環境変更型機器であって、該電気レセプタクルは、第１コンセントパターンを有し、該機器は、以下：
該第１コンセントパターンに実質的に対応する第２コンセントパターンを有する、前面；
該第１コンセントパターンに実質的に対応する、プラグパターン；および
該前面と該プラグパターンとの間に挿入されるデバイスであって、該デバイスは、環境の属性を変更するように構成された、デバイス、
を備え、ここで、該属性は、芳香物質の蒸気密度、殺虫剤の蒸気密度、周囲の光度、イオン性空気量、および超音波周波数強度からなる群から選択される、機器。
【請求項１０】
壁に設けられた電気レセプタクルに接続されるように構成された型の蒸気分配デバイスであって、ここで、該電気レセプタクルが、コンセントおよび面板を有し、そしてここで、該面板が、第１外辺部を有し、該蒸気分配デバイスが、以下：
第２外辺部および前面を有するハウジング；および
該ハウジングに連結され、そして該コンセントに挿入されるように構成された、プラグ、
を備え、ここで、該プラグが、該コンセントに挿入される場合、該第２外辺部に対して直交する断面および該第２外辺部を通る断面は、該前面から該第１外辺部の外側の壁までの調和した輪郭を規定する、デバイス。
【請求項１１】
電気レセプタクルに接続されるように構成された型の蒸気分配デバイスであって、
該電気レセプタクルは、コンセントおよび面板を備え、該面板は、第１外辺部を備え、該蒸気分配デバイスは、以下：
第２外辺部を備えるハウジング；および
該ハウジングに連結され、かつ該コンセントに挿入されるように構成されたプラグ、を備え、
ここで、該第１外辺部は、該プラグが該コンセントに挿入される場合、該第２外辺部によって実質的に取り囲まれている、
蒸気分配デバイス。
【請求項１２】
電気レセプタクルに接続されるように構成された型の蒸気分配デバイスであって、該電気レセプタクルは、コンセントおよび面板を備え、該面板は、第１アスペクト比および第１中心を有し、該蒸気分配デバイスは、以下：
第２アスペクト比および第２中心を有するハウジング；および
該ハウジングに連結され、そして該コンセントに挿入されるように構成されたプラグ、を備え、
ここで、該第２アスペクト比は、該第１アスペクト比と実質的に類似しており、そしてここで、第２中心は、該面板の該第１中心と実質的に一致している、
蒸気分配デバイス。
【請求項１３】
壁に設けられた電気レセプタクルに接続されるように構成された型の蒸気分配デバイスであって、ここで、該電気レセプタクルは、コンセントおよび面板を備え、そしてここで、該面板は、第１アスペクト比を有し、該蒸気分配デバイスは、以下：
第２外辺部を有するハウジング；および
該ハウジングに連結され、そして該コンセントに挿入されるように構成されたプラグ、を備え、
ここで、該ハウジングの該第２外辺部上の少なくとも２個の相対するポイントが、該プラグが該コンセントに挿入される場合、該面板の該第１外辺部の外側の壁と接触する、
蒸気分配デバイス。
【請求項１４】
請求項１１に記載の蒸気分配デバイスであって、ここで、前記ハウジングが、厚さｔで分離された前面および背面を有し、ここで、該背面は、短軸寸法ｘおよび長軸寸法ｙを有し；該蒸気分配デバイスは、以下：
該ハウジングの前面に設けられた、第１デバイスコンセントおよび第２デバイスコンセントであって、該第１デバイスコンセントおよび該第２デバイスコンセントは、コンセント間距離ｄによって分離されており；ここで：
ｘ／ｄは、約２．０と約２．５との間であり；
ｙ／ｄは、約３．０と約３．５との間であり；
ｔ／ｄは、約０．５と約１．０との間である、第１デバイスコンセントおよび第２デバイスコンセント；ならびに
前記電気レセプタクルに接続するために該ハウジングの背面から延びるプラグであって、該プラグは、該第１デバイスコンセントおよび該第２デバイスコンセントの少なくとも１つに電気的に連結されている、プラグ、を備える、
蒸気分配デバイス。
【請求項１５】
請求項１１に記載の蒸気分配デバイスであって、ここで、前記ハウジングは、以下：
一定の厚さで分離された背面および前面であって、ここで、該厚さは、前記長軸寸法の約２０％未満である、背面および前面；および
該ハウジングの該前面内に設けられたデバイスコンセント、を有する、
蒸気分配デバイス。
【請求項１６】
第１コンセントを有する電気レセプタクルに接続されるように構成された蒸気分配デバイスであって、該蒸気分配デバイスは、以下：
第１デバイスコンセントおよび第２デバイスコンセントを有する、ハウジング、
を備え、
該ハウジングは、該第１コンセントに取り外し可能に装着されるように構成された、
蒸気分配デバイス。
【請求項１７】
請求項１６に記載のデバイスであって、前記第１デバイスコンセントに対応し、かつ前記電気レセプタクルの前記第１コンセントに挿入されるように構成された、第１プラグをさらに備える、デバイス。
【請求項１８】
請求項１７に記載のデバイスであって、前記第２デバイスコンセントに対応し、そして前記電気レセプタクルの第２コンセントに挿入されるように構成された、第２プラグをさらに備える、デバイス。
【請求項１９】
請求項１６に記載のデバイスであって、前記第１デバイスコンセントおよび前記第２デバイスコンセントに電気的に連結され、そして前記電気レセプタクルの前記第１コンセントに挿入されるように構成される、第１プラグをさらに備える、デバイス。
【請求項２０】
前記ハウジングが、約５．０ｃｍ未満の厚さを有する、請求項１６に記載のデバイス。
【請求項２１】
前記ハウジングが、芳香剤分配デバイスをさらに備える、請求項１６に記載のデバイス。
【請求項２２】
請求項１１に記載のデバイスであって、前記ハウジングが、以下：
一定の厚さによって分離された背面および前面であって、ここで、該厚さは、約５．０ｃｍ未満である、背面および前面；
該ハウジングの該前面内に設けられた、第１デバイスコンセント；および
該ハウジングの該前面内に設けられた、第２デバイスコンセント、
を有する、デバイス。
【請求項２３】
前記ハウジングの前記前面に設けられた、第２デバイスコンセントをさらに備える、請求項２２に記載のデバイス。
【請求項２４】
請求項２３に記載のデバイスであって、前記第２デバイスコンセントに接続され、かつ前記電気レセプタクルの第２コンセントに挿入されるように構成された、第２プラグをさらに備える、デバイス。
【請求項２５】
標準２重コンセント電気レセプタクルと類似のハウジング幅および高さを有するようにさらに構成された、請求項２４に記載のデバイス。
【請求項２６】
第１コンセントおよび第２コンセントを有する電気レセプタクルに接続するように構成された蒸気分配デバイスであって、該蒸気分配デバイスは、以下：
第１デバイスコンセントおよび第２デバイスコンセントを有する、ハウジング；
該第１デバイスコンセントに電気的に接続され、かつ該電気レセプタクルの該第１コンセント内に挿入されるように構成された、第１プラグ；
該第２デバイスコンセントに電気的に接続され、かつ該電気レセプタクルの該第２コンセント内に挿入されるように構成された、第２プラグ；ならびに
芳香剤送達システムであって、チャンバ内に揮発可能な物質が設けられたチャンバおよび該揮発可能な物質を揮発させるための手段を備える、芳香剤送達システム、
を備える、蒸気分配デバイス。
【請求項２７】
請求項２６に記載のデバイスであって、前記芳香剤デバイスシステムが、以下：
エミネータであって、該エミネータが、第１接触ポイントおよび該第１接触ポイントから離れた第２接触ポイントを有し、ここで、第１ウイックは、該第１接触ポイントで該エミネータに接続され、そして第２ウイックは、該第２接触ポイントで該エミネータに連結された、エミネータを備え、そして
該第１ウイックおよび該第２ウイックは、該揮発可能な物質内に少なくとも部分的に浸漬され、そして該第１デバイスコンセントの対向面に隣接して位置決めされる、
デバイス。